(57)【要約】      （修正有）【課題】安価な構成で、大気中の浮遊塵埃の捕集を容易にした電気掃除機を提供する。【解決手段】塵埃を吸引する吸込具（図示せず）と、前記吸込具に連通し吸引風を発する電動送風機２と塵埃を捕集する集塵室５を有する電気掃除機本体と、前記電気掃除機本体の後面に設けられ前記電動送風機２の排気を排出する排気口３４を備え、前記排気口３４は、それぞれ０．０３ｍｍ２から０．１ｍｍ２の開口面積で、前記電気掃除機本体の上方へ排気風向を規制する多数の小孔（図示せず）からなり、前記多数の小孔の合計排気面積を４０００ｍｍ２以上としたもので、排気口３４から排出される排気風が、使用者が緩やかに感じる程度の風速で、居室内の空気に、電気掃除機近傍から天井、そして部屋の壁に沿って床面方向へ下降する循環流を発生させるので、居室内に浮遊するハウスダストなどの塵埃を効率よく吸引することが出来る。【選択図】図２
2011019865.tif 000002
【特許請求の範囲】
【請求項１】
塵埃を吸引する吸込具と、前記吸込具に連通し吸引風を発する電動送風機と塵埃を捕集する集塵室を有する電気掃除機本体と、前記電気掃除機本体の後面あるいは側面に設けられ前記電動送風機の排気を排出する排気口を備え、前記排気口は、それぞれ０．０３ｍｍ２から０．１ｍｍ２の開口面積で、前記電気掃除機本体の上方へ排気風向を規制する多数の小孔からなり、前記多数の小孔の合計排気面積を４０００ｍｍ２以上としたことを特徴とする電気掃除機。
【請求項２】
排気口を覆うと共に０．１ｍｍから０．２ｍｍの板厚のステンレス鋼板を備え、前記ステンレス鋼板の電気掃除機本体内面側から、直径が略０．２５ｍｍで、前記板厚の略８５％まで掘りこんで第１の穴を形成し、前記ステンレス鋼板の前記電気掃除機本体外面側から、直径が０．２ｍｍで、前記第１の穴との中心を略０．１５ｍｍ上方へ変位させて、前記板厚の略８５％まで掘りこんで第２の穴を形成し、前記第１の穴と前記第２の穴を連通させて小孔を形成したことを特徴とする請求項１に記載の電気掃除機。
【請求項３】
電気掃除機本体の上面あるいは外周面に、電動送風機の吸気側と連通する吸気口を設けたことを特徴とする請求項１または２に記載の電気掃除機。
【請求項４】
吸気口から流入する空気流が、捕塵用のフィルター部材を通過するようにしたことを特徴とする請求項３に記載の電気掃除機。
【請求項５】
吸気口から流入する空気の量を調整する流量調整手段を設けた請求項３または４に記載の電気掃除機。
【発明の詳細な説明】
【技術分野】
【０００１】
本発明は、清浄機能を備えた電気掃除機に関するものである。
【背景技術】
【０００２】
従来のこの種の清浄機能を備えた電気掃除機の電気掃除機本体は、下部の掃除室と上部の清浄室とに区画され、掃除室の前部には、第１の吸込口が設けられ、第１の吸込口の下流側には第１の吸込口に連通する集塵室が設けられ、集塵室の下流側には電動送風機が配設され、電動送風機の下流側には、第１の排気フィルターが取り付けられた第１の排気口が設けられ、これらによって、掃除室には、第１の吸込口から集塵室、電動送風機、第１の排気フィルターを経て第１の排気口に至る排気風路が形成されている。
【０００３】
清浄室の上部には、第２の吸込口が設けられ、第２の吸込口の近傍に空気清浄用送風機が配設され、空気清浄用送風機の下流側には、第２の排気フィルターが取り付けられた第２の排気口が設けられ、これらによって、清浄室には、第２の吸込口から空気清浄用送風機、第２の排気フィルターを経て第２の排気口に至る清浄風路が形成されたものである。
【０００４】
以上のように構成された従来の電気掃除機においては、空気中に浮遊している塵埃または自重により落下してくる塵埃を上から空気清浄用の第２の吸込口へ導き、空気清浄を行うことができる（例えば、特許文献１参照）。
【先行技術文献】
【特許文献】
【０００５】
【特許文献１】特開２００８−１８８４２２号公報
【発明の概要】
【発明が解決しようとする課題】
【０００６】
しかしながら、上記特許文献１に記載されたような従来の電気掃除機の構成では、電動送風機などを内蔵する掃除室の上部に空気清浄用送風機を内蔵する清浄室を構成することから、電気掃除機本体が大型化し、掃除使用時の引き回しが重くなるとともに、高価な電気掃除機になっていた。
【０００７】
本発明は、上記従来の課題を解決するもので、安価な構成で、居室内の浮遊塵埃を効率よく捕集できると共に、感電や故障を防止することができる安全な電気掃除機を提供することを目的とする。
【課題を解決するための手段】
【０００８】
上記従来の課題を解決するために、本発明の電気掃除機は、塵埃を吸引する吸込具と、前記吸込具に連通し吸引風を発する電動送風機と塵埃を捕集する集塵室を有する電気掃除機本体と、前記電気掃除機本体の後面あるいは側面に設けられ前記電動送風機の排気を排出する排気口を備え、前記排気口は、それぞれ０．０３ｍｍ２から０．１ｍｍ２の開口面積で、前記電気掃除機本体の上方へ排気風向を規制する多数の小孔からなり、前記多数の小孔の合計排気面積を４０００ｍｍ２以上としたもので、電気掃除機の吸引風は通常使用時、凡そ１．５から２．３ｍ３／分程度であるので、排気口から排出される使用者が緩やかに感じる程度の排気の風速で、居室内の空気に、電気掃除機近傍から天井、そして部屋の壁に沿って床面方向へ下降する循環流を発生させ、居室内に浮遊するハウスダストなどの塵埃を電気掃除機の吸引部に近い位置に移動させ、電気掃除機に吸引させる居室内の浮遊塵埃をも集塵し、捕集率の向上を図った電気掃除機を提供することができる。さらに、
排気口は前述のように本体上方へ排気風向を規制する形状ではあるが、０．０３ｍｍ２から０．１ｍｍ２の開口面積の多数の小孔によって構成するため、例えば万一、誤って水が電気掃除機本体に降りかかった場合でも、水の表面張力によって排気口から侵入することがなく、感電や故障を防止することができる安全性を確保した電気掃除機を提供することができる。
【発明の効果】
【０００９】
本発明の電気掃除機は、居室内に浮遊するハウスダストなどの塵埃を、電気掃除機の吸引部に近い位置に移動させ、電気掃除機に吸引させる居室内の浮遊塵埃をも集塵して、捕集率の向上を図るとともに、排気口からの水などの侵入を防止して、感電や故障に対する安全性を確保することができる。
【図面の簡単な説明】
【００１０】
【図１】本発明の実施の形態１における電気掃除機の全体斜視図
【図２】同電気掃除機の断面図
【図３】同電気掃除機の本体後部の斜視図
【図４】同電気掃除機の排気口断面拡大図
【図５】同電気掃除機の排気口拡大図
【図６】同電気掃除機の運転時の居室内の循環空気流の挙動を示す図
【図７】本発明の実施の形態２における電気掃除機の本体後部の斜視図
【図８】同電気掃除機の断面図
【発明を実施するための形態】
【００１１】
第１の発明は、塵埃を吸引する吸込具と、前記吸込具に連通し吸引風を発する電動送風機と塵埃を捕集する集塵室を有する電気掃除機本体と、前記電気掃除機本体の後面あるいは側面に設けられ前記電動送風機の排気を排出する排気口を備え、前記排気口は、それぞれ０．０３ｍｍ２から０．１ｍｍ２の開口面積で、前記電気掃除機本体の上方へ排気風向を規制する多数の小孔からなり、前記多数の小孔の合計排気面積を４０００ｍｍ２以上としたもので、電気掃除機の吸引風は通常使用時、凡そ１．５から２．３ｍ３／分程度であるので、排気口から排出される使用者が緩やかに感じる程度の排気の風速で、居室内の空気に、電気掃除機近傍から天井、そして部屋の壁に沿って床面方向へ下降する循環流を発生させ、居室内に浮遊するハウスダストなどの塵埃を電気掃除機の吸引部に近い位置に移動させ、電気掃除機に吸引させる居室内の浮遊塵埃をも集塵し、捕集率の向上を図った電気掃除機を提供することができる。さらに、排気口は前述のように本体上方へ排気風向を規制する形状ではあるが、０．０３ｍｍ２から０．１ｍｍ２の開口面積の多数の小孔によって構成するため、例えば万一、誤って水が電気掃除機本体に降りかかった場合でも、水の表面張力によって排気口から侵入することがなく、感電や故障を防止することができる安全性を確保した電気掃除機を提供することができる。
【００１２】
第２の発明は、特に、第１の発明の排気口を覆うと共に０．１ｍｍから０．２ｍｍの板厚のステンレス鋼板を備え、前記ステンレス鋼板の電気掃除機本体内面側から、直径が略０．２５ｍｍで、前記板厚の略８５％まで掘りこんで第１の穴を形成し、前記ステンレス鋼板の前記電気掃除機本体外面側から、直径が０．２ｍｍで、前記第１の穴との中心を略０．１５ｍｍ上方へ変位させて、前記板厚の略８５％まで掘りこんで第２の穴を形成し、前記第１の穴と前記第２の穴を連通させて小孔を形成したもので、電気掃除機本体から居室内の天井への空気流を発生させることができ、居室内に浮遊するハウスダストなどの塵埃を電気掃除機の吸引部に近い位置に移動させ、電気掃除機に吸引させる居室内の浮遊塵埃をも集塵して、捕集率の向上を図るとともに、排気口の小孔は電気掃除機本体の後方面あるいは側面に、略水平方向の掘り込みによって形成しているので、水などが降りかかった際に、流れ落ちる水に対して、排気口からさらに侵入しにくくし、感電や故障に対する
安全性を確保することができるものである。
【００１３】
第３の発明は、特に、第１又は第２の発明の電気掃除機本体の上面あるいは外周面に、電動送風機の吸気側と連通する吸気口を設けたもので、電気掃除機本体近傍から天井、そして部屋の壁に沿って床面方向へ下降する循環流を発生させて居室内に浮遊するハウスダストなどの塵埃を電気掃除機の吸引部に近い位置に移動させて、電気掃除機本体からも居室内の浮遊塵埃を吸引して集塵して、捕集率の向上を図ることができるものである。
【００１４】
第４の発明は、特に、第３の発明の吸気口から流入する空気流が、捕塵用のフィルター部材を通過するようにしたもので、電気掃除機本体から吸引した居室内の浮遊塵埃を確実に捕集することによって空気清浄効果のさらなる向上を図ることができるものである。
【００１５】
第５の発明は、特に、第３又は第４の発明の吸気口から流入する空気の量を調整する流量調整手段を設けたもので、吸込具からの集塵によって集塵室の主フィルターでの捕集堆積量が増加するにつれて、吸込具からの吸気量が減少し、集塵量も減少することとなるため、前記吸込具からの吸気量の減少が顕著になった場合に、吸気口からの空気の流量の減少を補完するように調整することによって、居室内の浮遊塵埃の捕集率を維持させることができるものである。
【００１６】
以下、本発明の実施の形態について、図面を参照しながら説明する。なお、この実施の形態によって本発明が限定されるものではない。
【００１７】
（実施の形態１）
図１は、本発明の実施の形態１における電気掃除機の全体斜視図、図２は、同電気掃除機の断面図、図３は、同電気掃除機の本体後部の斜視図、図４は、同電気掃除機の排気口断面拡大図、図５は、同電気掃除機の排気口拡大図、図６は、同電気掃除機の運転時の居室内の循環空気流の挙動を示す図である。
【００１８】
図１、２において、１は、本実施の形態における電気掃除機の電気掃除機本体で、後部に電動送風機２を内蔵した電動送風機室３が配され、前部に、着脱自在で塵埃を捕集するエレクトレット加工された集塵袋４を収納する集塵室５が配され、後方下部の両側に１対の走行用の車輪６が回転自在に取着され、底面前部には、同じく走行用のキャスター７が取着されている。電気掃除機本体１の前部には、ホース８の一端に設けた接続パイプ９が着脱自在に接続される吸入口１０が設けられている。
【００１９】
前記エレクトレット加工された集塵袋４は、ポリプロピレン等の熱可塑性繊維で構成されており、空気等の摩擦で帯電することになる。
【００２０】
ホース８の他端には、掃除の際に握る把手１１を備えた先端パイプ１２が設けられている。１３は、伸縮自在或いは継ぎ自在の延長管で、下流側端部が前記先端パイプ１２に着脱自在に接続され、他端は、塵埃掻き揚げ用の回転ブラシ１４と、その回転ブラシ１４を回転駆動するモーター１５を内蔵した吸込具１６に着脱自在に接続される。
【００２１】
１７は、電気掃除機本体１を持ち運ぶ際に使用する本体ハンドルで、電気掃除機本体１の集塵室５を覆う蓋１８と上ボディ１９で構成されている。電動送風機２の前部は、弾性材料からなるサポート前２０で、後部は、同じく弾性材料からなるサポート後２１で、それぞれ電動送風機室３内に支持されており、モーターケース２２とモーターカバー２３にて、前記サポート前２０とサポート後２１を挟持している。
【００２２】
図２、３において、３４は電動送風機２の排気を排出させる排気口である。図４、５は
排気口３４の部分拡大図であり、その排気口３４は、厚みが略０．１５ｍｍ程度で、電気掃除機本体１の内面側（裏面）からφ０．２５ｍｍの第１の穴１１０を多数掘り込み、電気掃除機本体１の外面側（表面）からはφ０．２ｍｍの第２の穴１１１をそれぞれ略８５％の深さまで多数掘り込んだステンレス鋼板３５で覆われている。
【００２３】
更に、外面側からの第２の穴１１１の中心を、内面側からの第１の穴１１０の中心に対して上方向に略０．１５ｍｍ程度変移させて、第１、第２の穴１１１、１１０を掘り込んでいる。これによって、第１の穴１１０と第２の穴１１１とが連通し、排気口３４に多数の小孔が形成される。
【００２４】
また、第１、第２の穴１１０、１１１を多数設けて合計４０００ｍｍ２以上の排気面積を確保するようにしている。また、第１、第２の穴１１０、１１１の加工は、エッチング加工によって容易に形成、量産することが可能である。
【００２５】
以上のように構成された本実施の形態における電気掃除機の動作、作用は、以下の通りである。
【００２６】
電動送風機２を運転させると、吸込具１６から吸込まれた空気と塵埃は、延長管１３、ホース８を通り、電気掃除機本体１内へと吸込まれる。電気掃除機本体１内では、集塵袋４で塵埃が捕集されて、濾過された空気は、電動送風機２を通過して、本体内の排気口３４から排気風が排出される。このとき、排気口３４の小孔は、前述のように本体内面からの第１の穴１１０と、外面からの第２の穴１１１で構成されているため、先ず第１の穴１１０の奥に排気流が衝突して向きを変え、第２の穴１１１の方向へ流れて電気掃除機本体１の外部へ排出されることとなる。
【００２７】
また、前記第１、第２の穴１１０、１１１を多数設けて合計４０００ｍｍ２以上の排気面積としているので、電気掃除機の吸引風は、通常使用時、凡そ１．５から２．３ｍ３／分程度であるので、排気口３４から排出される排気風の排気風速は、計算上は６．３から９．６ｍ／秒となるが、実際には排気口３４の出口直後で乱流等が生じることから、使用者が緩やかに感じる程度の排気の風速となり、図６に示すように、電気掃除機本体１の排気は、居室の天井へ向かって緩やかに上昇して、居室内全体の循環空気流を発生させることができる。
【００２８】
この循環空気流によって、居室内を浮遊するハウスダストはやがて床面の方向へ移動させられて、吸込具１６から吸引して電気掃除機本体１内に集塵することができるものである。
【００２９】
また、排気口３４の外面側を、０．０３ｍｍ２程度の開口面積の多数の小孔である第２の穴１１１で構成しているので、例えば万一、誤って水が電気掃除機本体１に降りかかった場合でも、水の表面張力によって排気口３４から侵入することがなく、感電や故障を防止することができるものである。
【００３０】
この様に、本実施の形態によると、従来に比べ、安価に、かつ水侵入等が起こりにくい安全性の高い空気清浄効果の優れた電気掃除機を得ることができる。特に、集塵袋４としてエレクトレット加工を施した不織布を用いることにより、集塵袋４に塵埃が付着しやすくなり空気清浄効果を向上させることができる。
【００３１】
（実施の形態２）
図７は、本発明の実施の形態２における電気掃除機の本体後部の斜視図、図８は、同電気掃除機の断面図である。尚上記実施の形態１における電気掃除機と同一部分には、同一
符号を付して、その説明を省略する。
【００３２】
本実施の形態における電気掃除機は、図７、８に示すように、電気掃除機本体１の上面前方の一部分で開口すると共に、集塵袋４の前方吸気口４ａと電気掃除機本体１のホース接続部１０ａをエアータイトするタイト弁１０２に連通する吸気口１００を設けたもので、他の構成は、上記実施の形態１における電気掃除機と同一である。
【００３３】
以上のように構成された本実施の形態における電気掃除機の動作、作用は以下の通りである。
【００３４】
電気掃除機本体１の排気によって発生した居室内の循環空気流によって天井側から下降してきた浮遊塵埃が、吸込具１６だけでなく、電気掃除機本体１の吸気口１００からも集塵されるので、浮遊塵埃の吸い取る確率が高くなり、高い空気清浄効果を得ることができるものである。
【００３５】
また、吸気口１００に、捕塵フィルター（図示せず）を設けて電気掃除機本体１の集塵室５の周囲に配置することも可能である。又、吸気口１００の開口面積を変える弁（図示せず）などで構成した流量調整手段（図示せず）を設けて、吸気口１００から吸引される空気の量を調整できるようにすれば、次の効果を得ることができる。
【００３６】
例えば、吸込具１６からの集塵によって集塵袋４の捕集堆積量が増加するにつれて、吸込具１６からの吸気量が減少し、集塵量も減少することとなるため、吸込具１６からの吸気量の減少が顕著になった場合に、吸気口１００からの流量の減少を補完するように調整することによって、居室内の浮遊塵埃の捕集率を維持させることができるものである。
【産業上の利用可能性】
【００３７】
以上のように、本発明にかかる電気掃除機は、安価な構成で、空気清浄効果に優れたもので、各種家庭用、業務用電気掃除機等に広く適用できる。
【符号の説明】
【００３８】
１  電気掃除機本体
２  電動送風機
４  集塵袋
５  集塵室
１６  吸込具
３４  排気口
１００  吸気口
１１０  第１の穴（小孔）
１１１  第２の穴（小孔）
【図１】
2011019865.tif 000003
【図２】
2011019865.tif 000004
【図３】
2011019865.tif 000005
【図４】
2011019865.tif 000006
【図５】
2011019865.tif 000007
【図６】
2011019865.tif 000008
【図７】
2011019865.tif 000009
【図８】
2011019865.tif 000010